(57)【要約】【課題】小窓枠の製造コストを削減できるとともに、相互互換性の確保による施工性の向上を図ることができる小窓枠材、これを備える建具および建物壁を提供すること。【解決手段】小窓枠材３０Ａは、枠本体３１Ａと、枠本体３１Ａの開口端部３１５Ａから延出した係合片部３２Ａ，３３Ａと、枠本体３１Ａに設けられた被係合部３６Ａとを備える。前記被係合部３６Ａは、枠本体３１Ａの周方向において係合片部３２Ａ，３３Ａ間に配置され、係合片部３２Ａ，３３Ａは、枠本体３１Ａの周方向において当該係合片部３２Ａ，３３Ａの周方向の長さ寸法以上の間隔を互いに隔てて配置されている。【選択図】図４
2015151697.tif 000002
【特許請求の範囲】
【請求項１】
枠本体と、
前記枠本体から延出した複数の係合片部と、
前記枠本体に設けられた被係合部とを備え、
前記被係合部は、前記枠本体の周方向において前記複数の係合片部間となる位置に配置され、
前記複数の係合片部は、前記周方向において当該係合片部の前記周方向の長さ寸法以上の間隔であって前記被係合部の配置位置に対応した間隔を互いに隔てて配置されている
ことを特徴とする小窓枠材。
【請求項２】
請求項１に記載の小窓枠材において、
前記複数の係合片部の前記周方向の長さ寸法は互いに等しく、
この長さ寸法は、前記複数の係合片部間の前記周方向の間隔と等しい
ことを特徴とする小窓枠材。
【請求項３】
請求項１または請求項２に記載の小窓枠材において、
前記複数の係合片部の先端には、爪部が設けられ、
前記被係合部には、前記爪部に対応する掛部が設けられている
ことを特徴とする小窓枠材。
【請求項４】
請求項１から請求項３のいずれかに記載の小窓枠材において、
前記被係合部を補強する補強リブを備えている
ことを特徴とする小窓枠材。
【請求項５】
請求項４に記載の小窓枠材において、
前記枠本体に設けられた鍔部を備え、
前記補強リブは、前記枠本体に設けられ、
前記鍔部と前記補強リブとの間には、溝部が形成されている
ことを特徴とする小窓枠材。
【請求項６】
開口が設けられた面材と、前記開口に取り付けられた小窓枠とを備え、
前記小窓枠は、請求項１から請求項５のいずれかに記載の小窓枠材を二つ備え、
前記二つの小窓枠材のうちのいずれか一方の小窓枠材の係合片部が当該他方の小窓枠材の被係合部に係合した状態で前記二つの小窓枠材を組み合わせることによって前記小窓枠を形成している
ことを特徴とする建具。
【請求項７】
開口が設けられた面材と、前記開口に取り付けられた小窓枠とを備え、
前記小窓枠は、請求項１から請求項５のいずれかに記載の小窓枠材を二つ備え、
前記二つの小窓枠材のうちのいずれか一方の小窓枠材の係合片部が当該他方の小窓枠材の被係合部に係合した状態で前記二つの小窓枠材を組み合わせることによって前記小窓枠を形成している
ことを特徴とする建物壁。
【発明の詳細な説明】
【技術分野】
【０００１】
建具や建物壁などに使用される面材に設けられる小窓枠材、これを備える建具および建物壁に関する。
【背景技術】
【０００２】
従来、門扉や戸などの建具の面材に小窓を設けることが知られている。例えば、特許文献１では小窓が設けられた門扉が提案され、特許文献２では小窓が設けられた戸（雨戸）が提案されている。
【０００３】
特許文献１に記載の門扉に設けられた小窓には、門扉の開口部に取付けられる外枠と、この外枠の内周側に配置される内枠とが設けられている。内枠は、板が固着されるとともに外枠に対し回動自在に連結されている。このような小窓は、外枠に対する内枠の回動によって開閉可能である。
【０００４】
特許文献２に記載の戸に設けられた小窓には、外鍔を有するとともに内周面に雌ねじが設けられた円筒状の外枠と、外鍔を有するとともに外周面に雄ねじが設けられた円筒状の内枠とが設けられている。この小窓では、外枠の雌ねじに内枠の雄ねじを螺合させている。
【先行技術文献】
【特許文献】
【０００５】
【特許文献１】特開２０１２−２５１３４１号公報
【特許文献２】実開昭６１−１１０７９４号公報
【発明の概要】
【発明が解決しようとする課題】
【０００６】
前述した特許文献１，２では、内枠と外枠とを組み合わせることによって小窓枠が構成されている。
ところで、特許文献１，２に記載の小窓では、内枠と外枠との形状が互いに異なるため、内枠と外枠との製造、組立てを別個の工程で行う必要がある。
つまり、特許文献１では、外枠の縦桟、横桟を枠組みし、外枠の縦桟、横桟に対し長さ寸法が異なる内枠の縦桟、横桟を、外枠の枠組みと別個に枠組みする必要がある。
また、特許文献２では、互いに径が異なる円筒状の外枠、内枠を別個に製造し、外枠の内周面に雌ねじをねじ切りする一方、内枠の外周面に雄ねじをねじ切りする必要がある。
このため、内枠、外枠の製造、組立て等の工程の簡略化による製造コストの削減を図り難い。
また、特許文献１，２に記載の小窓では、内枠と外枠との形状が互いに異なるために相互互換性がない。このため、門扉等の面材に対する取付け向きを内枠と外枠とで別々に設定しなければならず、施工性の向上を図り難い。
【０００７】
本発明の目的は、小窓枠の製造コストを削減できるとともに、相互互換性の確保による施工性の向上を図ることができる小窓枠材、これを備える建具および建物壁を提供することにある。
【課題を解決するための手段】
【０００８】
本発明の小窓枠材は、枠本体と、前記枠本体から延出した複数の係合片部と、前記枠本体に設けられた被係合部とを備え、前記被係合部は、前記枠本体の周方向において前記複数の係合片部間となる位置に配置され、前記複数の係合片部は、前記周方向において当該係合片部の前記周方向の長さ寸法以上の間隔であって前記被係合部の配置位置に対応した間隔を互いに隔てて配置されていることを特徴とする。
【０００９】
このような本発明によれば、同形状の小窓枠材を組み合わせることによって一つの小窓枠を形成できる。具体的には、一方の小窓枠材の係合片部を他方の小窓枠材の被係合部に係合させるとともに、他方の小窓枠材の係合片部を一方の小窓枠材の被係合部に係合させることで、小窓枠を形成できる。そして、このように同形状の小窓枠材を使用できるため、異なる形状の内枠および外枠を組み合わせる場合に比べ、小窓枠の構成部品を形状等に応じて別個の工程で製造する必要をなくすことができ、製造工程の簡略化による製造コストの削減を図ることができる。
また、小窓枠を形成する二つの小窓枠材を同形状とすることで、これら相互の互換性を確保でき、面材に対する取付け向きが限定されることなく施工性の向上を図ることができる。
なお、二つの小窓枠材の組み合わせ状態では、一方の小窓枠材は他方の小窓枠材に対し回転変位された状態となる。
【００１０】
本発明の小窓枠材では、前記複数の係合片部の前記周方向の長さ寸法は互いに等しく、この長さ寸法は、前記複数の係合片部間の前記周方向の間隔と等しいことが好ましい。
このような構成によれば、二つ小窓枠材を組み合わせた状態では、一方の小窓枠材の係合片部間は他方の小窓枠材の係合片部によって覆われ、他方の小窓枠材の係合片部間は一方の小窓枠材の係合片部によって覆われる。このため、これらの小窓枠材の開口端部同士の接触部分をシール等しなくても当該接触部分からの光漏れを係合片部によって防止できる。
また、一方の小窓枠材の係合片部は他方の小窓枠材の被係合部に係合するため、係合片部が枠本体に沿って配置された状態を維持できる。このため、前述した接触部分を覆った状態の安定性を向上できる。
【００１１】
本発明の小窓枠材では、前記複数の係合片部の先端には、爪部が設けられ、前記被係合部には、前記爪部に対応する掛部が設けられていることが好ましい。
このような構成によれば、爪部を前述した接触部分から離間して位置させることができ、組み合わされた二つの小窓枠材の相互の揺動を効果的に抑制できる。
また、一方の小窓枠材の爪部を他方の小窓枠材の掛部に接近移動させるだけで、これらをスナップフィット式に簡単に係合できる。
【００１２】
本発明の小窓枠材では、前記被係合部を補強する補強リブを備えていることが好ましい。
このような構成によれば、補強リブによって被係合部の剛性を確保することで、被係合部やその近傍部分の撓み変形を抑制し、係合片部と被係合部との係合状態を好適に維持できる。
【００１３】
本発明の小窓枠材では、前記枠本体に設けられた鍔部を備え、前記補強リブは、前記枠本体に設けられ、前記鍔部と前記補強リブとの間には、溝部が形成されていることが好ましい。
このような構成によれば、二つの小窓枠材が組み合わされた状態では、二つの小窓枠材の鍔部が面材を挟持することとなるため、小窓枠の面材からの脱落を防止できる。
また、小窓枠材を面材の開口に挿入した際、鍔部と補強リブとの間の溝部に面材の開口区画縁を配置することで、小窓枠材を面材に仮固定できる。これにより、仮固定した小窓枠材に対し、もう一つの小窓枠材を係合させる作業が簡単となり、施工性の向上を図ることができる。
【００１４】
本発明の建具は、開口が設けられた面材と、前記開口に取り付けられた小窓枠とを備え、前記小窓枠は、前述した本発明の小窓枠材を二つ備え、前記二つの小窓枠材のうちのいずれか一方の小窓枠材の係合片部が当該他方の小窓枠材の被係合部に係合した状態で前記二つの小窓枠材を組み合わせることによって前記小窓枠を形成していることを特徴とする。
ここで、前述した建具には、門扉やフェンス等の外構建具、玄関等に用いられる戸・ドア等の出入り口建具、障子・襖・室内ドアや戸等の内部建具などが含まれる。
このような本発明によれば、前述した本発明の小窓枠材と同様の作用効果を発揮できる。
【００１５】
本発明の建物壁は、開口が設けられた面材と、前記開口に取り付けられた小窓枠とを備え、前記小窓枠は、前述した本発明の小窓枠材を二つ備え、前記二つの小窓枠材のうちのいずれか一方の小窓枠材の係合片部が当該他方の小窓枠材の被係合部に係合した状態で前記二つの小窓枠材を組み合わせることによって前記小窓枠を形成していることを特徴とする。
このような本発明によれば、前述した本発明の小窓枠材と同様の作用効果を発揮できる。
【発明の効果】
【００１６】
本発明によれば、小窓枠の製造コストを削減できるとともに、相互互換性の確保による施工性の向上を図ることができる小窓枠材、これを備える建具および建物壁を提供できる。
【図面の簡単な説明】
【００１７】
【図１】本実施形態に係る小窓枠材を備えた門扉を示す斜視図。
【図２】前記実施形態において、図１中ＩＩ−ＩＩ線での縦断面図。
【図３】前記実施形態において、図１中ＩＩＩ−ＩＩＩ線での横断面図。
【図４】前記実施形態に係る小窓枠材を示す斜視図。
【図５】前記実施形態に係る二つ小窓枠材の位置関係を示す説明図。
【図６】前記実施形態に係る小窓枠材を二つ組み合わせて形成された小窓枠を示す斜視図。
【発明を実施するための形態】
【００１８】
［実施形態の構成］
以下、本発明の実施形態を図面に基づいて説明する。
図１は、本実施形態に係る小窓枠材３０（３０Ａ，３０Ｂ）を備えた門扉１を示す斜視図である。図２は、門扉１を示す縦断面図である。図３は、門扉１を示す横断面図である。図４は、小窓枠材３０を示す斜視図である。図５は、小窓枠材３０Ａ，３０Ｂの位置関係を示す説明図である。図６は、小窓枠材３０Ａ，３０Ｂを組み合わせて形成された小窓枠３を示す斜視図である。なお、後述する面内外方向、縦方向および横方向は互いに直交している。
【００１９】
図１に示すように、門扉１は、面材２と、小窓枠３とを備えている。
面材２は、上下の図示しない上框および下框と、左右の縦框２３，２４と、上框、下框および縦框２３，２４によって囲まれる複数の中縦框２５とを備え、上框および下框には横桟２１，２２が装着されている。横桟２１，２２、上框、下框、縦框２３，２４および中縦框２５は、中空形状のアルミ押出し形材製である。上框および下框の長手方向（横方向）の両端部は、縦框２３，２４の長手方向（縦方向）の両端部にそれぞれねじ止めされている。なお、上框および下框は、複数の中縦框２５の縦方向の両端部に形成された凹部に嵌め込まれているため、図１において面材２の外部に露呈しない位置にある。
【００２０】
中縦框２５は、図１に示すように横方向に五つ並設されており、そのうちの三つに小窓用の開口２６が縦方向に並んで複数形成されている。五つの中縦框２５のうちの残りの二つは、開口２６付き中縦框２５の間に配置されている。開口２６は、図２，３に示すように、縦方向および横方向に直交する面内外方向に延びて面材２の一方面２８から他方面２９まで貫通している。
【００２１】
図６に示すように、小窓枠３は、本実施形態に係る合成樹脂製の小窓枠材３０（３０Ａ，３０Ｂ）が二つ組み合わされて構成されている。
【００２２】
図４に示すように、小窓枠材３０Ａは、枠本体３１Ａと、係合片部３２Ａ，３３Ａと、鍔部３４Ａと、被係合部３６Ａと、補強リブ３７Ａと、段部３８Ａとが一体成形されてなる。
【００２３】
枠本体３１Ａは、図４に示すように、上下左右の枠部３１１，３１２，３１３，３１４によって四角筒形状に形成されている。上下の枠部３１１，３１２の横寸法および左右の枠部３１３，３１４の縦寸法はそれぞれ互いに等しい。
なお、便宜上、小窓枠材３０の上下左右や縦横を特定して説明しているが、小窓枠材３０Ａ，３０Ｂの組み合わせ状態では、一方が他方に対し後述するように回転変位した状態となる。
【００２４】
枠本体３１Ａによって区画される開口面積は、図２，３に示すように、その一方の開口端部３１５Ａから他方の開口端部３１６Ａに向かって次第に拡がっている。枠本体３１Ａの内周面３１７のうち開口端部３１６Ａに位置する部分には、テーパー面３１７Ａが形成されている。なお、開口端部３１５Ａは、小窓枠材３０Ａの開口２６への取付け状態で小窓枠材３０Ｂに接触する側の端部であり、開口端部３１６Ａは、小窓枠材３０Ａの開口２６への取付け状態で外部に露呈する側の端部である。
【００２５】
係合片部３２Ａ，３３Ａは、図２に示すように縦方向において互いに向かい合うとともに、図４に示すように枠本体３１Ａの周方向において当該係合片部３２Ａ，３３Ａの周方向（横方向）の長さ寸法と同等の間隔（縦方向の間隔）であって被係合部３６Ａの配置位置に対応した間隔を互いに隔てて配置されている。
【００２６】
係合片部３２Ａは、図４に示すように、枠部３１１にその全長にわたって連続して延びて形成されている。係合片部３２Ａは、図２に示すように、第一片部３２１および第二片部３２２によって断面略Ｌ字形状に形成されている。
第一片部３２１は、枠本体３１Ａの外周面３１８のうち開口端部３１５Ａに位置する部分から縦方向外側に突出して構成されている。
第二片部３２２は、可撓性を有し、面内外方向であって開口端部３１６Ａから開口端部３１５Ａに向かう方向に、第一片部３２１の突出端から延出して構成されている。
【００２７】
第二片部３２２の先端には係合部としての爪部３２３Ａが設けられている。爪部３２３Ａは、第二片部３２２から縦方向内側に突出して形成されている。爪部３２３Ａは係合片部３２Ａにその全長にわたって設けられている。
【００２８】
係合片部３３Ａは、図４に示すように、枠部３１２にその全長にわたって設けられている。係合片部３３Ａの横寸法は、係合片部３２Ａの横寸法と等しくされている。
係合片部３３Ａは、係合片部３２Ａと概略同様に形成され、第一片部３２１および第二片部３２２を備え、第二片部３２２の先端に爪部３２３Ａが設けられている。
係合片部３２Ａ側の爪部３２３Ａは、図２に示すように、縦方向において係合片部３３Ａ側の爪部３２３Ａに向かい合って配置されている。
【００２９】
鍔部３４Ａは、図４に示すように、枠本体３１Ａの開口端部３１６Ａに形成されている。鍔部３４Ａは、枠本体３１Ａの外周面３１８に沿って四角環状に形成され、その縦寸法および横寸法が開口２６の縦寸法および横寸法よりも大きくされている。
【００３０】
段部３８Ａは、鍔部３４Ａと枠本体３１Ａとの接合部分に設けられている。この小窓枠材３０Ａの段部３８Ａは、枠本体３１Ａの外周面３１８に沿って四角環状に形成されている。段部３８Ａの縦寸法および横寸法は、開口２６の縦寸法および横寸法よりも若干小さく形成されている。また、段部３８Ａには、面材２（中縦框２５）の開口区画縁２７に接触する接触突部３８１が設けられている。
【００３１】
被係合部３６Ａは、面内外方向において係合片部３２Ａ，３３Ａよりも開口端部３１６Ａ側の位置であって、枠本体３１Ａの周方向において係合片部３２Ａ，３３Ａ間となる位置に配置されている。被係合部３６Ａは、枠部３１３，３１４の長手方向における両端部にそれぞれ設けられた掛部３６１Ａ（四つの掛部）によって構成されている。
掛部３６１Ａは、縦方向に並んだ複数の被係合リブによって構成されている。この被係合リブは図３において略三角形状である。掛部３６１Ａは、開口端部３１５Ａ側から開口端部３１６Ａ側に向かって横方向外側に傾斜した傾斜面と、この傾斜面に接続されて横方向に延びた開口端部３１６Ａ側の掛面とを有している。
枠部３１３，３１４の最上部の被係合リブの側面は、枠部３１１の外面と面一である。枠部３１３，３１４の最下部の被係合リブの側面は、枠部３１２の外面と面一である。
掛部３６１Ａから開口端部３１５Ａまでの面内外方向長さ寸法は、爪部３２３Ａから開口端部３１５Ａまでの面内外方向長さ寸法とほぼ等しい。
【００３２】
枠部３１３側の二つの掛部３６１Ａは、図３に示すように、横方向において枠部３１４側の二つの掛部３６１Ａに向かい合うとともに、図４に示すように、枠本体３１Ａの周方向（縦方向）において互いに所定間隔隔てて配置されている。また、掛部３６１Ａは、枠本体３１Ａの周方向において係合片部３２Ａと係合片部３３Ａとの間に位置している。
【００３３】
補強リブ３７Ａは、被係合部３６Ａにおける係合を補強するものである。補強リブ３７Ａは、図３，４に示すように、枠本体３１Ａおよび段部３８Ａに設けられている。補強リブ３７Ａは、図３において略三角形状である。補強リブ３７Ａは、開口端部３１５Ａ側から開口端部３１６Ａ側に向かって横方向外側に傾斜した傾斜面と、この傾斜面に接続されて横方向に延びた開口端部３１６Ａ側の面とを有している。
補強リブ３７Ａの突出端は、段部３８Ａよりも横方向外側へ突出している。補強リブ３７Ａの突出端は、鍔部３４Ａの外周縁（先端縁）よりも横方向内側に位置している。補強リブ３７Ａの突出端は、図３に示す面材２への取付け状態では、開口区画縁２７よりも横方向外側に位置する。
【００３４】
このような補強リブ３７Ａは、図３，４に示すように、枠部３１３，３１４の長手方向における両端部にそれぞれ複数ずつ四箇所に設けられている。
四箇所の複数の補強リブ３７Ａは、四つの掛部３６１Ａの近傍であって当該掛部３６１Ａに対し開口端部３１６Ａ側に位置している。四箇所における複数の補強リブ３７Ａは縦方向に並んでいる。四箇所の複数の補強リブ３７Ａと鍔部３４Ａとの間には、開口区画縁２７が配置される溝部が形成されている。
枠部３１３，３１４の最上部の補強リブ３７Ａの側面は、枠部３１１の外面と面一である。枠部３１３，３１４の最下部の補強リブ３７Ａの側面は、枠部３１２の外面と面一である。
【００３５】
以上の小窓枠材３０Ａは、小窓枠材３０Ｂと組み合わされて小窓枠３を形成する。
小窓枠材３０Ｂは、小窓枠材３０Ａと同材料であって同形状に構成され、枠本体３１Ｂと、係合片部３２Ｂ，３３Ｂと、鍔部３４Ｂと、被係合部３６Ｂと、補強リブ３７Ｂと、段部３８Ｂとが一体成形されてなる。
なお、小窓枠材３０Ｂは、小窓枠材３０Ａと同材料であって同形状に構成されているので、その詳細な説明を省略する。
【００３６】
［実施形態の施工］
以下、本実施形態における小窓枠材３０Ａ，３０Ｂの施工の一例について説明する。
先ず、面材２の任意の一つの開口２６に対し、小窓枠材３０Ａ，３０Ｂを準備する。
次に、小窓枠材３０Ａを面材２の一方面２８側から開口２６に挿入する。具体的には次の通りである。
小窓枠材３０Ａを図４に示す状態（係合片部３２Ａ，３３Ａが縦方向において互いに対向した状態）に配置し、面内外方向の一方側から開口２６に挿入する。補強リブ３７Ａの開口２６への挿入の際、補強リブ３７Ａの傾斜面と開口区画縁２７との圧接により、枠本体３１Ａは弾性変形を生じて補強リブ３７Ａを挿入可能にし、当該補強リブ３７Ａの挿入後、元の形状に復元する。開口２６に挿入された補強リブ３７Ａの突出端は、開口区画縁２７よりも横方向外側に位置する。
【００３７】
補強リブ３７Ａを開口区画縁２７よりも面材内側に挿入した際、段部３８Ａの接触突部３８１は開口区画縁２７に接触し、鍔部３４Ａは面材２の一方面２８に接触する。鍔部３４Ａと補強リブ３７Ａとの間の溝部には開口区画縁２７が配置されるため、補強リブ３７Ａと鍔部３４Ａとによって開口区画縁２７を挟んだ状態となる。これにより、小窓枠材３０Ａは開口区画縁２７に仮固定された状態となる。このようにして小窓枠材３０Ａを一方面２８側から開口２６に挿入する。なお、鍔部３４Ａの一方面２８に対する接触面には両面テープが貼りつけられていてもよい。
【００３８】
次に、小窓枠材３０Ｂを面材２の他方面２９側から開口２６に挿入し、小窓枠材３０Ａに係合する。挿入手順は前述した小窓枠材３０Ａの挿入手順と概略同様である。
先ず、係合片部３２Ｂ，３３Ｂが横方向で向かい合った状態となるように小窓枠材３０Ｂを傾け、鍔部３４Ｂが面材２の他方面２９に接触するまで開口２６に挿入する。なお、鍔部３４Ｂの他方面２９に対する接触面には両面テープが貼りつけられていてもよい。
【００３９】
補強リブ３７Ｂの開口２６への挿入の際、掛部３６１Ｂは爪部３２３Ａに接触し、係合片部３２Ａ，３３Ａを撓ませつつ爪部３２３Ａを縦方向外側に押しあげ、係合片部３２Ａ，３３Ａの第二片部３２２の縦方向内側にまで挿入する。掛部３６１Ｂが爪部３２３Ａよりも小窓枠材３０Ａ側に配置されると、撓められていた係合片部３２Ａ，３３Ａは元の形状に復元し、爪部３２３Ａは掛部３６１Ｂに掛かった状態（図２に示す状態）となる。このようにして係合片部３２Ａ，３３Ａおよび被係合部３６Ｂはスナップフィット式に係合する。
【００４０】
この係合と同時に、係合片部３２Ｂ，３３Ｂおよび被係合部３６Ａも係合する。つまり、補強リブ３７Ｂの圧入の際、爪部３２３Ｂは掛部３６１Ａに接触し、係合片部３２Ｂ，３３Ｂを撓ませつつ掛部３６１Ａによって爪部３２３Ｂを押しあげながら挿入する。爪部３２３Ｂが掛部３６１Ａよりも小窓枠材３０Ａの開口端部３１６Ａ側に配置されると、撓められていた係合片部３２Ｂ，３３Ｂは元の形状に復元し、爪部３２３Ｂは掛部３６１Ａに掛った状態（図３に示す様態）となる。このようにして係合片部３２Ｂ，３３Ｂおよび被係合部３６Ａはスナップフィット式に係合する。
このようにして小窓枠材３０Ｂを他方面２９側から開口２６に挿入し、小窓枠材３０Ａに係合する。
【００４１】
前述したように小窓枠材３０Ｂが小窓枠材３０Ａに係合されることによって、小窓枠材３０Ａ，３０Ｂを組み合わせた図６に示す小窓枠３が形成される。
ここで、組み合わされて小窓枠３を形成している小窓枠材３０Ａ，３０Ｂの位置関係について図５を参照して説明する。
面内外方向に関し、小窓枠材３０Ｂは、小窓枠材３０Ａに対し向かい合った位置にある。回転方向に関し、小窓枠材３０Ｂは、小窓枠材３０Ａに対し、小窓枠材３０の中心に位置する軸心Ｏの回りで周方向に９０度回転変位した位置にある。小窓枠材３０Ａの係合片部３２Ａ，３３Ａは、縦方向で互いに向かい合った状態にあり、小窓枠材３０Ｂの係合片部３２Ｂ，３３Ｂは、横方向で互いに向かい合った状態にある。
【００４２】
このように小窓枠３では、係合片部３２Ａ，３３Ａの一端側には係合片部３３Ｂが隣り合って配置され、係合片部３２Ａ，３３Ａの他端側には係合片部３２Ｂが隣り合って配置される。このため、係合片部３２Ａ，３３Ａによって開口端部３１５Ａ，３１５Ｂ（小窓枠材３０Ｂの一方の開口端部）の接触部分のうちの上部および下部が覆われ、係合片部３２Ｂ，３３Ｂによって開口端部３１５Ａ，３１５Ｂの接触部分のうちの右部および左部が覆われる。つまり、小窓枠材３０Ａ，３０Ｂの開口端部３１５Ａ，３１５Ｂの接触部分は係合片部３２Ａ，３２Ｂ，３３Ａ，３３Ｂによって覆われる。
【００４３】
なお、前述した小窓枠材３０Ａ，３０Ｂの施工を面材２の各開口２６に対して行うことによって複数の小窓を備えた図１に示す門扉１を構成可能である。
【００４４】
［実施形態の効果］
（１）同形状の小窓枠材３０Ａ，３０Ｂを使用しても、係合片部３２Ａ，３３Ａ（３２Ｂ，３３Ｂ）を被係合部３６Ｂ（３６Ａ）に係合させることによって、小窓枠３を形成できる。このため、小窓枠３の構成部品を同形状にでき、製造工程の簡略化による製造コストの削減を図ることができる。
また、小窓枠材３０Ａ，３０Ｂを同形状とすることで、これら相互の互換性を確保でき、面材２に対する取付け向きが面材２の一方面２８側および他方面２９側のいずれかに限定されることなく施工性の向上を図ることができる。
（２）小窓枠材３０Ａ，３０Ｂを組み合わせた状態では、係合片部３２Ａ，３３Ａ間は係合片部３２Ｂ，３３Ｂによって覆われ、係合片部３２Ｂ，３３Ｂ間は係合片部３２Ａ，３３Ａによって覆われる。このため、これらの小窓枠材３０Ａ，３０Ｂの開口端部３１５Ａ，３１５Ｂ同士の接触部分をシール等しなくても当該接触部分からの光漏れを係合片部３２Ａ，３２Ｂ，３３Ａ，３３Ｂによって防止できる。
また、係合片部３２Ａ，３３Ａ（３２Ｂ，３３Ｂ）の被係合部３６Ｂ（３６Ａ）への係合により、係合片部３２Ａ，３２Ｂ，３３Ａ，３３Ｂが枠本体３１Ａ，３１Ｂに沿って配置された状態を維持できる。このため、開口端部３１５Ａ，３１５Ｂ同士の接触部分を覆った状態の安定性を向上できる。
（３）爪部３２３Ａ（３２３Ｂ）を係合片部３２Ａ，３３Ａ（３２Ｂ，３３Ｂ）の先端に設けたことで、爪部３２３Ａ，３２３Ｂを開口端部３１５Ａ，３１５Ｂ同士の接触部分から面内外方向に離間して位置させることができる。これにより、組み合わされた小窓枠材３０Ａ，３０Ｂの相互の揺動を効果的に抑制できる。
また、爪部３２３Ａを掛部３６１Ｂに接近移動させるだけで、これらをスナップフィット式に簡単に係合できる。
（４）補強リブ３７Ａ（３７Ｂ）により被係合部３６Ａ（３６Ｂ）を補強して、被係合部３６Ａ（３６Ｂ）やその近傍部分の撓み変形を抑制し、係合片部３２Ａ，３３Ａ（３２Ｂ，３３Ｂ）と被係合部３６Ａ（３６Ｂ）との係合状態を好適に維持できる。
（５）鍔部３４Ａ，３４Ｂが面材２を挟持するため、小窓枠３の面材２からの脱落を防止できる。
また、鍔部３４Ａ（３４Ｂ）と補強リブ３７Ａ（３７Ｂ）との間の溝部に面材２の開口区画縁２７を配置することで、小窓枠材３０Ａ（３０Ｂ）を面材２に仮固定できる。これにより、仮固定した小窓枠材３０Ａに対し、もう一つの小窓枠材３０Ｂを係合させる作業が簡単となり、施工性の向上を図ることができる。
【００４５】
［変形例］
なお、本発明は以上の実施形態で説明した構成のものに限定されず、本発明の目的を達成できる範囲での変形例は、本発明に含まれる。
例えば、前記実施形態では、一つの小窓枠材３０Ａ（３０Ｂ）に対し、二つの係合片部３２Ａ，３３Ａ（３２Ｂ，３３Ｂ）が開口端部３１５Ａ（３１５Ｂ）に部分的に設けられているが、これに限定されない。開口端部３１５Ａ（３１５Ｂ）には、例えば、周方向に所定間隔隔てた三つまたは四つ以上の係合片部が部分的に設けられていてもよい。
【００４６】
前記実施形態では、枠本体３１Ａ（３１Ｂ）の断面形状は、四角筒形状であるが、これに限定されず、例えば、三角、六角、八角等の多角筒形状であってもよく、また、円筒状であってもよい。この場合、小窓枠材３０Ａに対する小窓枠材３０Ｂの回転角度は９０度に限定されず、枠本体３１Ａ（３１Ｂ）の断面形状および係合片部３２Ａ，３３Ａ（３２Ｂ，３３Ｂ）の周方向長さ寸法等に応じて適宜調整される。
【００４７】
前記実施形態では、係合片部３２Ａ，３３Ａ（３２Ｂ，３３Ｂ）は枠本体３１Ａ（３１Ｂ）の外周面３１８に接合されているが、これに限定されず、例えば、枠本体３１Ａ（３１Ｂ）の内周面３１７に接合され、この内周面３１７側で面内外方向に延出して構成されていてもよい。この場合、被係合部３６Ａ（３６Ｂ）は、当該係合片部３２Ａ，３３Ａ（３２Ｂ，３３Ｂ）の位置に対応し、枠本体３１Ａ（３１Ｂ）の外周面３１８ではなく内周面３１７に設けられる。
【００４８】
前記実施形態では、係合片部３２Ａ（３２Ｂ）と係合片部３３Ａ（３３Ｂ）とは互いに同形状であるが、異なっていてもよい。例えば、開口端部３１５Ａ，３１５Ｂ同士の接触部分の全てを覆う必要がない場合、係合片部３２Ａ（３２Ｂ）と係合片部３３Ａ（３３Ｂ）との周方向の長さ寸法は、互いに異なっていてもよい。
【００４９】
前記実施形態では、係合片部３２Ａ，３３Ａ（３２Ｂ，３３Ｂ）は、枠本体３１Ａ（３１Ｂ）の周方向において一端から他端まで連続して延びて形成されているが、これに限定されない。例えば、開口端部３１５Ａ，３１５Ｂ同士の接触部分の全てを覆う必要がない場合、係合片部３２Ａ，３３Ａ（３２Ｂ，３３Ｂ）には、その一端および他端間の一部が切り欠かれた間欠部が形成されていてもよい。
【００５０】
前記実施形態では、係合片部３２Ａ，３３Ａ（３２Ｂ，３３Ｂ）は、開口端部３１５Ａ（３１５Ｂ）から延出しているが、これに限定されず、開口端部３１５Ａ（３１５Ｂ）よりも開口端部３１６Ａ（３１６Ｂ）側の位置から延出していてもよい。例えば、係合片部３２Ａ，３３Ａ（３２Ｂ，３３Ｂ）は、開口端部３１５Ａ（３１５Ｂ）と開口端部３１６Ａ（３１６Ｂ）との間の中間位置から延出していてもよい。
【００５１】
前記実施形態では、補強リブ３７Ａ（３７Ｂ）が設けられているが、この構成を省いてもよい。また、補強リブ３７Ａ（３７Ｂ）に代えてまたは加えて、被係合部３６Ａ（３６Ｂ）が設置されている枠本体３１Ａ，３１Ｂの設置部分を肉厚にして被係合部３６Ａ（３６Ｂ）の剛性を補強する補強部が形成されていてもよい。
【００５２】
前記実施形態では、小窓枠３に区画される小窓空間には、ガラス板やアクリル板などの小窓用面材が設けられていないが、これに限定されず、小窓用面材を設けてもよい。
【００５３】
前記実施形態では、鍔部３４Ａ（３４Ｂ）と補強リブ３７Ａ（３７Ｂ）との面内外方向の間隔は、開口区画縁２７の厚さよりも大きいが、これに限定されず、前記厚さとほぼ同等の間隔であってもよい。
【００５４】
前記実施形態では、小窓枠材３０Ａ，３０Ｂを門扉１に使用する例について説明したが、これに限定されず、門扉１以外の各種建具に使用してもよく、また、前述した建具のほか、建物壁に使用してもよい。
【符号の説明】
【００５５】
１…門扉、２…面材、２１，２２…横桟、２３，２４…縦框、２５…中縦框、２６…開口、２７…開口区画縁、２８…一方面、２９…他方面、３…小窓枠、３０（３０Ａ，３０Ｂ）…小窓枠材、３１Ａ，３１Ｂ…枠本体、３１１，３１２，３１３，３１４…枠部、３１５Ａ，３１５Ｂ，３１６Ａ，３１６Ｂ…開口端部、３１７…内周面、３１７Ａ…テーパー面、３１８…外周面、３２Ａ，３２Ｂ，３３Ａ，３３Ｂ…係合片部、３２１…第一片部、３２２…第二片部、３４Ａ，３４Ｂ…鍔部、３２３Ａ，３２３Ｂ…爪部、３６Ａ，３６Ｂ…被係合部、３６１Ａ，３６１Ｂ…掛部、３７Ａ，３７Ｂ…補強リブ、３８Ａ，３８Ｂ…段部、３８１…接触突部、Ｏ…軸心。
【図１】
2015151697.tif 000003
【図２】
2015151697.tif 000004
【図３】
2015151697.tif 000005
【図４】
2015151697.tif 000006
【図５】
2015151697.tif 000007
【図６】
2015151697.tif 000008